(57)【特許請求の範囲】
【請求項１】
ケースと、前記ケースに保持された第１基板と、前記ケースに保持された第２基板と、前記第１基板と前記第２基板とを接続するケーブルと、前記ケース内に侵入した水から前記第１基板を防護する防水カバーとを、備えた電子機器であって、
前記第１基板が第１接続部を有すると共に、前記第２基板が第２接続部を有し、前記ケーブルの一端が前記第１接続部に接続され、前記ケーブルの他端が前記第２接続部に接続され、
前記防水カバーは、前記第１基板を覆う第１カバー部と、前記第１カバー部と一体に形成され前記第１カバー部の外形から延設された第２カバー部と、を有しており、前記第２カバー部が前記ケーブル及び前記第２接続部を覆っており、
前記第１基板と前記第２基板とが側面視で段差を有して取り付けられていて、前記ケースには支持部が設けられており、前記第２カバー部の途中が前記支持部に当接すると共に、前記ケーブルに近づく方向に撓んでいる、
ことを特徴とする電子機器。
【請求項２】
前記第２カバー部の先端側には、前記ケースと係合する係合部が設けられている、
ことを特徴とする請求項１に記載の電子機器。
【請求項３】
前記第２カバー部は、前記ケーブルの三方を囲うように形成されている、
ことを特徴とする請求項１又は請求項２に記載の電子機器。
【発明の詳細な説明】
【技術分野】
【０００１】
本発明は、電子機器に関し、特に雨水等がかかる可能性のある電子機器に関する。
【背景技術】
【０００２】
従来から、屋外等で使用され、雨水等がかかる可能性のある電子機器に対し、電子機器のケースに排水孔を設け、この排水孔から排水するように構成された電子機器が存在する。このような従来の電子機器として、下記の特許文献１に記載のゴルフカートの制御ボックス９００が知られている。図５を用いてゴルフカートの制御ボックス９００について説明する。
【０００３】
ゴルフカートの制御ボックス９００は、下部ケース９０３と、この下部ケース９０３に取り付けられる一方、上面にメンブレンスイッチ９０８を配設すると共にメンブレンスイッチ９０８の下方にゴルフカート走行制御用の基板９１２、９１３を固定するようにした上部ケース９０４とを有し、上部ケース９０４のメンブレンスイッチ９０８と基板９１２、９１３との間に、該基板９１２、９１３を覆う防水用シート９１４、９１５を介入させる。
【０００４】
また、防水用シート９１４、９１５の上面に排水口９１７ａを有する排水溝９１７を形成する一方、下部ケース９０３の底面に排水口９１７ａからの水を外部へ排水する排水孔９１８を形成させる。
【０００５】
このような構成によって、基板９１２、９１３に雨水等が当たらず、また基板９１２、９１３を確実に固定することのできるゴルフカートの制御ボックス９００を提供することができる。
【先行技術文献】
【特許文献】
【０００６】
【特許文献１】実開平７−０１３６０９号公報
【発明の概要】
【発明が解決しようとする課題】
【０００７】
しかしながら、ゴルフカートの制御ボックス９００のような電子機器では、２枚の基板それぞれを、各基板と略同一形状の防水カバー（防水用シート）が覆っているが、２枚の基板を接続しているケーブルは露出しており、覆われていなかった。そのため、ケース内に侵入した水が当該ケーブルを伝って、ケーブルが接続される先の基板の接続部を被水させ、その結果、基板上に構成されている電子回路を短絡させてしまうという危険性があった。
【０００８】
本発明はこのような従来技術の実情に鑑みてなされたもので、ケーブルが接続される先の基板の接続部を防水することのできる電子機器を提供することを目的とする。
【課題を解決するための手段】
【０００９】
上記課題を解決するために本発明の電子機器は、ケースと、前記ケースに保持された第１基板と、前記ケースに保持された第２基板と、前記第１基板と前記第２基板とを接続するケーブルと、前記ケース内に侵入した水から前記第１基板を防護する防水カバーとを、備えた電子機器であって、前記第１基板が第１接続部を有すると共に、前記第２基板が第２接続部を有し、前記ケーブルの一端が前記第１接続部に接続され、前記ケーブルの他端が前記第２接続部に接続され、前記防水カバーは、前記第１基板を覆う第１カバー部と、前記第１カバー部と一体に形成され前記第１カバー部の外形から延設された第２カバー部と、を有しており、前記第２カバー部が前記ケーブル及び前記第２接続部を覆っており、前記第１基板と前記第２基板とが側面視で段差を有して取り付けられていて、前記ケースには支持部が設けられており、前記第２カバー部の途中が前記支持部に当接すると共に、前記ケーブルに近づく方向に撓んでいる、という特徴を有する。
【００１０】
このように構成された電子機器は、防水カバーが、ケーブルとケーブルが接続される先の第２接続部とを覆う第２カバー部を有し、且つ第１カバー部と第２カバー部とが一体に形成されているので、ケース内に侵入した水が第２接続部にまで侵入することを防止することができる。
このように構成された電子機器はまた、ケースに設けられた支持部によって防水カバーの第２カバー部をケーブルに近づく方向へ撓ませることができるので、電子機器の組立時にケーブルの先端が第２カバー部の上方にせり上がり、下方には向かわないようにすることができる。そのため、組立時に作業者がケーブルの先端を掴みやすくなり、作業性を向上させることができる。
【００１１】
また、上記の構成において、前記第２カバー部の先端側には、前記ケースと係合する係合部が設けられている、という特徴を有する。
【００１２】
このように構成された電子機器は、係合部によって第２カバー部をケース内で位置決めできるので、ケーブルと第２接続部とを確実に防水することができる。
【００１３】
また、上記の構成において、前記第２カバー部は、前記ケーブルの三方を囲うように形成されている、という特徴を有する。
【００１４】
このように構成された電子機器は、第２カバー部がケーブルの三方を囲っているので、ケーブルの側方からの水によるケーブルの被水も防止することができる。
【発明の効果】
【００１７】
本発明の電子機器は、防水カバーが、ケーブルとケーブルが接続される先の第２接続部とを覆う第２カバー部を有し、且つ第１カバー部と第２カバー部とが一体に形成されているので、ケース内に侵入した水が第２接続部にまで侵入することを防止することができる。
【図面の簡単な説明】
【００１８】
【図１】本発明の実施形態における電子機器の内部構造を示す斜視図である。
【図２】電子機器の正面図である。
【図３】防水カバーの構造及びケーブルとの位置関係を示す斜視図である。
【図４】電子機器の内部構造を示す断面図である。
【図５】従来例に係る電子機器の構成を示す分解斜視図である。
【発明を実施するための形態】
【００１９】
［実施形態］
以下、本発明の電子機器１００の実施形態について図面を参照しながら説明する。電子機器１００は、例えば、雨水等がかかる可能性のある装置内に収納される電子機器として用いられる。尚、本発明の電子機器１００の用途については、これに限定されるものではなく適宜変更が可能である。
【００２０】
図１乃至図４を参照して、電子機器１００の構成について説明する。図１は、電子機器１００の内部構造を示す斜視図であり、図２は、電子機器１００の正面図であり、図３は、防水カバー７の構造及びケーブル３との位置関係を示す斜視図である。また、図４は、図２に示すＡ−Ａ線からＹ１方向を見た場合の電子機器１００の内部構造を示す断面図である。尚、図１及び図２では、電子機器１００の内部構造を示すため、ケース２０の裏側領域２０ｂ側の外壁部２８が透明であると仮定して表している。
【００２１】
電子機器１００は、図１及び図２に示すように、ケース２０と、第１基板１１と、第２基板１２と、ケーブル３と、防水カバー７と、第２基板用防水カバー９と、スイッチ部３０と、で構成されている。尚、電子機器１００においては、第１基板１１及び第２基板１２が設けられている面（Ｘ１側の面）が裏面であり、その反対側の面（Ｘ２側の面）がオモテ面であって、オモテ面で各種操作が行なわれるように構成されている。
【００２２】
ケース２０は、その内部が、図１及び図４に示すように、オモテ面側の表側領域２０ａと、裏面側の裏側領域２０ｂとに分けられる。表側領域２０ａと裏側領域２０ｂとの間には中壁部２９が設けられており、中壁部２９が設けられていない部分が開口部２９ａとなっている。従って、表側領域２０ａと裏側領域２０ｂとが開口部２９ａを介して繋がっている。また、ケース２０全体は外壁部２８によって囲われている。ケース２０の外部空間と面している外壁部２８及び上述した中壁部２９は、所定の厚さを有した合成樹脂によって形成されている。
【００２３】
尚、本実施形態では、表側領域２０ａと裏側領域２０ｂとが１つの外壁部２８によって囲まれるように、ケース２０が形成されているが、ケース２０を、表側領域２０ａを覆う表側ケースと裏側領域２０ｂを覆うカバーとの２つの部材によって構成するようにしても良い。
【００２４】
ケース２０のオモテ面は、電子機器１００における操作面２４となっており、操作面２４には、図１及び図２に示すように、複数のスイッチ部３０が設けられている。また、図４に示すように、スイッチ部３０の操作部３０ａが操作面２４よりＸ２方向に突出していると共に、その反対側のスイッチ部３０の一部が操作面２４より内側（Ｘ１側）の表側領域２０ａ内に位置している。操作面２４に設けられた操作部３０ａを図４におけるＸ１方向（右方向）に押圧することによって、スイッチ部３０を操作することができる。この操作によって、電子機器１００が収納される外部装置内の各機器を操作することができる。
【００２５】
ケース２０の操作面２４にはスイッチ部３０の取り付け用の孔（図示せず）が設けられており、スイッチ部３０の一部が当該取り付け用の孔に差し込まれると共に、取付けネジ１９によって取り付けられる。尚、スイッチ部３０は、本実施形態ではプッシュスイッチ等のメカニカルスイッチを想定しているが、タッチセンサ式のスイッチ等であっても良い。
【００２６】
図１及び図４に示すように、ケース２０の裏側領域２０ｂには、第１基板１１及び第２基板１２が取り付けられている。第１基板１１及び第２基板１２は、取付けネジ１９によって中壁部２９に取り付けられ、中壁部２９に対して平行になるように、ケース２０に保持されている。尚、第１基板１１と第２基板１２とは、図４に示すように、側面視で段差を有して取り付けられている。第１基板１１及び第２基板１２には、複数の電子部品（図示せず）を有した電子回路（図示せず）が搭載されており、当該電子回路は、複数のスイッチ部３０を制御する。
【００２７】
図１及び図４に示すように、第１基板１１と第２基板１２とがケーブル３によって接続されている。ケーブル３は、第１基板１１上の電子回路と第２基板１２上の電子回路とを電気的に接続するための、厚さの薄い平坦な形状をしたフレキシブルケーブルで形成されており、柔軟性があり自由に変形させることが可能となっている。
【００２８】
第１基板１１は第１接続部１１ａを有すると共に、第２基板は第２接続部１２ａを有し、ケーブル３の一端が第１接続部１１ａに接続され、ケーブル３の他端が第２接続部１２ａに接続されている。第１接続部１１ａ及び第２接続部１２ａは、ケーブル３の一端又は他端が、差し込まれるように形成されたコネクタである。尚、第１接続部１１ａは、第１基板１１の中壁部２９側（Ｘ２側）に取り付けられており、第２接続部１２ａは、逆に、第２基板１２の中壁部２９側とは反対側（Ｘ１側）に取り付けられている。
【００２９】
図１、図２及び図４に示すように、第１基板１１の近傍には、ケース２０内に侵入した水から第１基板１１を防護する防水カバー７が設けられている。また、第２基板１２の近傍にもケース２０内に侵入した水から第２基板１２を防護する第２基板用防水カバー９が設けられている。防水カバー７及び第２基板用防水カバー９それぞれは、ラバー等の弾性を有した材料で形成されている。
【００３０】
防水カバー７及び第２基板用防水カバー９それぞれは、第１基板１１又は第２基板１２の四方（Ｙ１側、Ｙ２側、Ｚ１側、Ｚ２側）を囲み、第１基板１１又は第２基板１２の中壁部２９側（Ｘ２側）が閉じられており、中壁部２９側の反対側（Ｘ１側）が開放されるように形成されている。防水カバー７及び第２基板用防水カバー９は、ケース２０内に侵入した水、特に、スイッチ部３０の取付け部からケース２０内に侵入した水から第１基板１１及び第２基板１２を防護するために設けられている。
【００３１】
防水カバー７及び第２基板用防水カバー９のうち、第２基板用防水カバー９は第２基板１２を覆っているのみであるが、防水カバー７は、第１基板１１を覆う第１カバー部７ａと、第１カバー部７ａと一体に形成され第１カバー部７ａの外形から延設された第２カバー部７ｂと、を有している。従って、防水カバー７は、第１カバー部７ａが第１基板１１を覆い、第２カバー部７ｂがケーブル３及び第２基板１２上の第２接続部１２ａを覆っている。
【００３２】
図３に示すように、防水カバー７の第１カバー部７ａは、第１基板１１を覆うために、第１基板１１と同等の形状、即ちＸ１側から見て略長方形形状をしている。一方、第２カバー部７ｂは、ケーブル３及び第２接続部１２ａを覆うために、第１カバー部７ａの下側の外形から延設されており、ケーブル３及び第２接続部１２ａそれぞれのＹ１−Ｙ２方向の幅よりも大きな幅を有して形成されている。
【００３３】
第２カバー部７ｂの、第１カバー部７ａに連続している部分は、図３に示すように斜め下方（Ｘ２側のＺ２方向）と、２側方（Ｙ１方向とＹ２方向）と、に部材を有して形成されている。言い換えれば、第２カバー部７ｂは、第１接続部１１ａと第２接続部１２ａとを接続するケーブル３が取り付けられた際、ケーブル３の三方、即ち、ケーブル３の斜め下方（Ｘ２側のＺ２方向）とケーブル３の２側方（Ｙ１方向とＹ２方向）とを囲うように形成されている。
【００３４】
また、第２カバー部７ｂの、第２接続部１２ａ側の部分は、前述したように、防水カバー７がラバー等の弾性を有した材料で形成されているため、その形状を曲線状に変化させることができる。従って、ケーブル３が取り付けられた際、図３に示すように、ケーブル３の形状に沿って撓ませることが可能となっている。
【００３５】
前述したように、第１基板１１と第２基板１２とは、側面視で段差を有して取り付けられている。従って、第１基板１１上の第１接続部１１ａと第２基板１２上の第２接続部１２ａとを接続するケーブル３も、その一端部と他端部との間で、側面視で段差を有することになる。そのため、防水カバー７を、第１カバー部７ａと第２カバー部７ｂとの途中で、側面視で段差を有するように撓ませる必要がある。
【００３６】
電子機器１００では、第１カバー部７ａと第２カバー部７ｂとの途中に、側面視で段差を有して撓ませるために、防水カバー７の第２カバー部７ｂを支持するための支持部２２をケース２０に設けた。支持部２２は、図１及び図４に示すように、ケース２０内の中壁部２９と一体に形成され、第２カバー部７ｂの方向（Ｘ１方向）に向けて突出するように設けられている。その結果、第２カバー部７ｂの途中が支持部２２に当接すると共に、ケーブル３に近づく方向に撓むことになる。
【００３７】
また、防水カバー７の第２カバー部７ｂの先端側を支持するために、ボス部２６をケース２０に設けた。ボス部２６は、図４に示すように、ケース２０内の中壁部２９と一体に形成され、第２カバー部７ｂの方向（Ｘ１方向）に向けて突出するように設けられている。ボス部２６は、その形状が柱状であり、その先端が細くなるように形成されている。
【００３８】
そして、防水カバー７の第２カバー部７ｂの先端側には、ケース２０と係合する係合部７ｃが設けられている。係合部７ｃは、図３に示すように、第２カバー部７ｂの先端側の中央部に、円形に開けられた開口であり、Ｘ２方向に向かって筒状に延設されている。
【００３９】
防水カバー７の第２カバー部７ｂの先端側に形成された係合部７ｃの開口には、中壁部２９に設けられたボス部２６の細くなった先端が挿入される。その結果、防水カバー７の第２カバー部７ｂを位置決めすることができる。また、それと共に、第２カバー部７ｂの先端側のＸ１側の面を第２基板用防水カバー９のＸ２側の面に密着させることができる。
【００４０】
尚、電子機器１００では、ケース２０に柱状のボス部２６を設け、防水カバー７の第２カバー部７ｂの先端側に開口である係合部７ｃを設けたが、これとは逆に、防水カバー７の第２カバー部７ｂの先端側に柱状のボス部を設け、ケース２０に開口である係合部を設けるようにしても良い。
【００４１】
以下、本実施形態としたことによる効果について説明する。
【００４２】
電子機器１００は、防水カバー７が、ケーブル３とケーブル３が接続される先の第２接続部１２ａとを覆う第２カバー部７ｂを有し、且つ第１カバー部７ａと第２カバー部７ｂとが一体に形成されているので、ケース２０内に侵入した水が第２接続部１２ａにまで侵入することを防止することができる。
【００４３】
また、係合部７ｃによって第２カバー部７ｂをケース２０内で位置決めできるので、ケーブル３と第２接続部１２ａとを確実に防水することができる。
【００４４】
また、第２カバー部７ｂがケーブル３の三方を囲っているので、ケーブル３の側方からの水によるケーブル３の被水も防止することができる。
【００４５】
また、ケース２０に設けられた支持部２２によって防水カバー７の第２カバー部７ｂをケーブル３に近づく方向へ撓ませることができるので、電子機器１００の組立時にケーブル３の先端が第２カバー部７ｂの上方にせり上がり、下方には向かわないようにすることができる。そのため、組立時に作業者がケーブル３の先端を掴みやすくなり、作業性を向上させることができる。
【００４６】
以上説明したように、本発明の電子機器は、防水カバーが、ケーブルとケーブルが接続される先の第２接続部とを覆う第２カバー部を有し、且つ第１カバー部と第２カバー部とが一体に形成されているので、ケース内に侵入した水が第２接続部にまで侵入することを防止することができる。
【００４７】
本発明は上記の実施形態に限定されるものではなく、要旨を逸脱しない範囲で種々変更して実施することが可能である。
【符号の説明】
【００４８】
３        ケーブル
７        防水カバー
７ａ      第１カバー部
７ｂ      第２カバー部
７ｃ      係合部
９        第２基板用防水カバー
１１      第１基板
１１ａ    第１接続部
１２      第２基板
１２ａ    第２接続部
１９      取付けネジ
２０      ケース
２０ａ    表側領域
２０ｂ    裏側領域
２２      支持部
２４      操作面
２６      ボス部
２８      外壁部
２９      中壁部
２９ａ    開口部
３０      スイッチ部
３０ａ    操作部
１００    電子機器
【図１】
0006502229.tif 000002
【図２】
0006502229.tif 000003
【図３】
0006502229.tif 000004
【図４】
0006502229.tif 000005
【図５】
0006502229.tif 000006